(57)【要約】【課題】  簡単な構成のもとに、軽量濾材の活発な揺動を可能にして水の攪拌曝気を増進し、水質浄化機能の向上並びに水中生物の生育を促進する水路または湖沼用の護岸装置を提供こと。【解決手段】  頂部および底部が開口状態で前壁１に通水孔２がある枠状本体７と、本体７を支承する底盤８と、頂部開口に冠設する蓋体９とからなるコンクリート製函体３を設け、函体３内の空間には通水孔２を通過しない程度の大粒でかつ比重が１．０以下の多孔質濾材４を散状態に収容して構成した。これにより魚巣を形成するほか、水流および水位の変化により濾材４を個々に揺動させ、水質の浄化，微生物の活性化，水中生物の生育環境改善を実現する。【選択図】図１
2008088785.tif 000002
【特許請求の範囲】
【請求項１】
頂部および底部が開口状態でかつ前壁（１）に通水孔（２）が形成された枠状本体（７）と、本体（７）を支承する底盤（８）と、頂部開口に冠設する蓋体（９）とからなるコンクリート製函体（３）を設けると共に、この函体（３）内の空間には前記通水孔（２）を通過しない程度の大粒でかつ比重が１．０以下の多孔質濾材（４）を散状態に収容したことを特徴とする水質浄化型護岸装置。
【請求項２】
頂部および底部が開口状態でかつ前壁（１）に通水孔（２）が形成された枠状本体（７）と、本体（７）を支承する底盤（８）と、頂部開口に冠設する蓋体（９）とからなるコンクリート製函体（３）を設けると共に、前記通水孔（２）を通過する程度の小粒でかつ比重が１．０以下の多孔質濾材（４）をかご型容器または網袋に収容して構成した濾材集合体（１１）を用意し、この濾材集合体（１１）の多数個を前記函体（３）内の空間に散状態に収容したことを特徴とする水質浄化型護岸装置。
【請求項３】
側壁（６）に通水孔（２）が形成された函体（３）を採択し、この函体（３）を側壁（６）が相互に当接する状態に並設した請求項１または請求項２に記載の水質浄化型護岸装置。
【請求項４】
函体（３）の前壁（１）に手摺（１４）を設けた請求項１ないし請求項３のいずれか１に記載の水質浄化型護岸装置。
【請求項５】
函体（３）の背壁（５）をほぼ垂直に形成すると共に、前壁（１）を階段状に形成した請求項１ないし請求項４のいずれか１に記載の水質浄化型護岸装置。
【請求項６】
函体（３）の上端縁または蓋体（９）の少なくとも一方に柵設置用穴（１０）を設けた請求項１ないし請求項５のいずれか１に記載の水質浄化型護岸装置。
【発明の詳細な説明】
【技術分野】
【０００１】  本発明は、水質浄化機能並びに水中生物の生育機能を有する河川，湖沼，農業用水路，排水路等の護岸装置に関するものである。
【背景技術】
【０００２】  水質の浄化並びに水中生物の生育環境の保全を目的として、護岸構造に水質浄化機能および水中生物の生育機能を付加することが重要視されている。従来の技術としては、上下面および４側面に開口部がある枠状ブロックを積層し、水中に位置する最下位の枠状ブロック内に玉石および貝殻等の充填材を収容して、充填材相互の間隙を水中生物の生育に利用する構成の技術がある。（例えば、特許文献１参照。）また、縦に貫通する濾材配設空間とこれに横に貫通する流水通路とを形成した護床ブロックの濾材配設空間に、軽量の濾過材を網袋に収容したまま繋留状態に配設し、網袋入り濾過材を水流により水中において僅かに昇降させ、これにより水質浄化および河川生物の生育を図る技術がある。（例えば、特許文献２参照。）。
【特許文献１】  特開２００１−２２６９３８
【特許文献２】  特許２８４９３３３
【発明の開示】
【発明が解決しようとする課題】
【０００３】  特許文献１に記載の従来技術においては、充填材として玉石および貝殻を使用し、しかも充填材が移動あるいは揺動することがないから、水質浄化機能は乏しく、かつ充填材の交換が著しく不便である。【０００４】  特許文献２に記載の従来技術においては、軽量の濾過材を使用しているが、個々の粒体が網袋に拘束状態に収容されているため、水位の変動で濾過材は昇降するが、網袋に拘束された状態のまま、連結ワイヤにより繋留されており、昇降程度は限定されるから、個々の濾過材と水流との動的接触が少ない。更に構造が著しく複雑かつ高コストである。【０００５】  そこで本発明の目的は、簡単な構成のもとに、軽量濾材の活発な揺動を可能にして水の攪拌を促進し、水質浄化機能の向上並びに水中生物の生育を促進する水路，湖沼用の護岸装置を提供ことにあり、また転落事故および水難事故の防止等、安全性を付加した護岸装置を提供することにある。
【課題を解決するための手段】
【０００６】  上記目的を達成するため、請求項１の発明は、頂部および底部が開口状態でかつ前壁に通水孔が形成された枠状本体と、本体を支承する底盤と、頂部開口に冠設する蓋体とからなるコンクリート製函体を設けると共に、この函体内の空間には前記通水孔を通過しない程度の大粒でかつ比重が１．０以下望ましくは１．０未満の多孔質濾材を散状態に収容したことを特徴とする水質浄化型護岸装置である。この構成により、魚巣を形成するほか、水流により濾材を個々に揺動させるばかりでなく、水位の変化により揺動を伴ない昇降させるから、函体内の水は攪拌曝気されて酸素の供給増進により水質が浄化すると共に、濾材に棲息する微生物の活性化により水質浄化が促進され、更に水中生物の生育環境が改善される。また蓋体の脱着により濾材の点検並びに交換等のメンテナンスが容易である。【０００７】  請求項２の発明は、頂部および底部が開口状態でかつ前壁に通水孔が形成された枠状本体と、本体を支承する底盤と、頂部開口に冠設する蓋体とからなるコンクリート製函体を設けると共に、前記通水孔を通過する程度の小粒でかつ比重が１．０以下望ましくは１．０未満の多孔質濾材をかご型容器または網袋に収容して構成した濾材集合体を用意し、この濾材集合体の多数個を前記函体内の空間に散状態に収容したことを特徴とする水質浄化型護岸装置である。この構成により、魚巣を形成するほか、水流により小粒濾材の各集合体は個々に揺動するばかりでなく、水位の変化により揺動しつつ昇降するから、函体内の水は攪拌曝気され酸素の供給増進により水質が浄化されるほか、濾材に棲息する微生物の活性化により水質浄化が促進され、更に水中生物の生育環境が改善される。また蓋体の脱着により濾材集合体の点検並びに交換等のメンテナンスが容易である。【０００８】  請求項３の発明は、側壁に通水孔が形成された函体を採択し、この函体を側壁が相互に当接する状態に並設した請求項１または請求項２に記載の水質浄化型護岸装置であり、側壁が互いに当接する状態に函体を連設することにより、隣接函体相互に連通する通水路が形成されて、濾材と水流との動的接触が促進され、酸素の供給増進による水質の浄化，濾材に棲息する微生物の活性化，水中生物の生育環境の改善等の作用が増進される。【０００９】  請求項４の発明は、函体の前壁に手摺を設けた請求項１ないし請求項３のいずれか１に記載の水質浄化型護岸装置であり、手摺の特設により、転落の防止，保守作業時の安全性および能率化に役立ち、更に転落事故の救助に当たっての手掛けまたはロープの結び付け等に役立つ。【００１０】  請求項５の発明は、函体の背壁をほぼ垂直に形成し、かつ前壁を階段状に形成した請求項１ないし請求項４のいずれか１に記載の水質浄化型護岸装置であり、背壁は土留めよう壁として作用し、階段状前壁は滑落の防止，保守作業時の安全性および能率化に役立つ。【００１１】  請求項６の発明は、函体の上端縁または蓋体の少なくとも一方に柵設置用穴を設けた請求項１ないし請求項５のいずれか１に記載の水質浄化型護岸装置であり、柵を付設するに当たり、予め設置用穴が形成されているため、必要に応じて転落防止用の柵を容易に設けることができ、水路，湖沼への転落防止に役立つ。
【発明の効果】
【００１２】  請求項１の発明によれば、簡単な構成のもとに、濾材の個々の不規則な揺動並びに昇降により水は攪拌曝気されて水に酸素の供給が増進され、これにより水質浄化，濾材に棲息する微生物の活性化，水中生物の生育環境の改善が効果的に行われる。また、枠状本体と本体を支承する底盤と蓋体との組立型コンクリート製函体を構成したことにより、函体の成形，保管，取り扱い，施工が容易であり、かつ蓋体を着脱自在に設けたことにより、増水に伴なう溢水時においても、濾材の流出は防止され、更に蓋体の脱着により濾材の点検および交換等の保全が著しく容易である。【００１３】  請求項２の発明によれば、請求項１の発明の効果に加え、小粒の濾材を使用することができ、しかも濾材集合体は取り扱いが便利であるから、濾材の収容作業および交換作業が著しく容易となる。【００１４】  請求項３の発明によれば、隣接函体相互に連通する通水路を形成する構成であるため、水流が隣接函体内に通過しやすい関係上、濾材と水との動的接触が向上し、酸素の供給増進による水質の浄化，濾材に棲息する微生物の活性化，水中生物の生育環境の改善等の作用が一層増大する。請求項４の発明によれば、手摺の特設により、滑落の防止，保守作業時の安全性および能率化に役立ち、更に転落事故時において流されないように掴まることができ、救助に当たっては、手掛けとなるほかロープの結び付けに至便である。【００１５】  請求項５の発明によれば、函体の背壁は土留めよう壁として効果があり、かつ階段状前壁は法面に比較して滑落を防止できる効果があり、従って柵が設置されていない場合に発生し易い滑落事故を防止するほか、保守作業時の作業者の安全性および能率化の点で好都合である。また請求項６の発明によれば、柵を付設するに当たり、予め設置用穴が形成されているため、必要に応じて転落防止用の柵を容易に設けることができる。
【発明を実施するための最良の形態】
【００１６】  以下、本発明を図示の実施形態について詳細に説明するが、例えば図１，図２あるいは図３，図４のように、前壁１に通水孔２が形成されたコンクリート製の函体３内の空間に濾材４を収容した水質浄化型護岸装置を適用対象とする。【００１７】  前記護岸装置に対する本発明の特殊構成として、例えば図１および図２のように、函体３としては、階段状の前壁１とほぼ垂直の背壁５とほぼ垂直の左右両側壁６とから形成され、かつ頂底両部が開口状態の異形角筒状の本体７と、本体７の載置に適応するほか下部開口部を閉塞する平板状の底盤８と、上部開口部に着脱自在に冠設する平板状の蓋体９との組み立て型に構成する。本体７における前壁１のほぼ垂直壁部に縦長スリット状の通水孔２を多数穿設し、かつ蓋体９の適宜位置に上方開放状態の柵設置用穴１０を設ける。なお通水孔２は、横長スリット状，斜めスリット状，円形，角形でもよく、その他本体７と底盤８とは取付ボルト等の結合具（図示せず）により一体的に固定するのが望ましい。【００１８】    図３および図４の実施形態は、本体７における前壁１が階段状ではなく、傾斜状であって、縦長スリット状の通水孔２を多数穿設し、他は前記形態と性質的に異なるところはない。また前記両形態とは別に本体７における前壁１がほぼ垂直に形成された形態であってもよい。なお通水孔２は、前記形態と同様に種々の形状を採択できること当然である。【００１９】  函体３内の空間に収容する濾材４としては、通水孔２を通過しない程度の大粒でかつ比重が１．０以下望ましくは１．０未満の多孔質材料を採択する。例えば、発泡コンクリート，発泡ガラス，軽石，火山れき，人工軽量骨材等、また麦飯石，トルマリン石等のマイナスイオンを発生する材料、更にバクテリアの栄養分を有する木片等であり、これら濾材４の一種類または複数種類を函体３の容積に充分ゆとりが保てる程度の分量例えば容積の１０〜９０％望ましくは３０〜７０％に相当する分量を散状態に収容する。これにより濾材４は函体３内において浮遊傾向のもとに水位Ｗの変化に伴ない昇降する。【００２０】  濾材４が小粒である場合には、小粒の濾材４をかご型容器あるいは網袋に詰め込んで濾材集合体１１を形成し、この濾材集合体１１の多数個を函体３に散状態に収容する。小粒の濾材４をかご型容器あるいは網袋に詰め込むにあたっては、容器あるいは網袋に１００％ではなく、適度にゆとりのある遊動可能な状態に収容するのが望ましく、濾材４個々の浮遊が期待できる。また、適用濾材４については、例えば径が機能的には数ｍｍ〜百数十ｍｍでよいが、取り扱い上は十数ｍｍ〜百ｍｍ程度の大きさが望ましく、濾材集合体１１の大きさについては、数十ｍｍ〜二百数十ｍｍ程度の大きさが取り扱い上便利である。【００２１】  函体３はこれをその前壁１が水路または湖沼の水際に対向したまま、隣接側壁６同士を当接させた状態のもとに多数を並設することが多いから、側壁６には前壁１におけると同様に、縦長スリット状または他の適宜形状の通水孔１２を多数穿設して隣接函体３相互に連通する通水路を形成し、隣接函体３間においても水流を生じさせるようにする。通水孔１２としては、図４に例示するように、大きな通水孔１２を設けてこの通���孔１２にプラスチック製または金属製の格子状枠１３を嵌設してもよい。なお、通水孔１２を設けていない函体３は、これを単体で設置することに適しており、多数を並設する場合には、通水孔１２を設けたものを使用するが、並設端部の函体３の外側の側壁６は通水孔１２を設けていないものを使用し、あるいは施工時に側壁６の外側面に遮水シートまたは透水シートを添付して通水孔１２から土砂が流入しないようにする。【００２２】  水路，湖沼に設置する函体３の流動あるいは傾動を防止するため、底盤８に適宜形状の受孔を設け、この受孔にコンクリート，鋼管，松等の杭を打ち込んで函体３を固定するのが望ましい。【００２３】  柵設置用穴１０については、図５または図６のように、本体７の前壁１または背壁５を全長にわたりあるいは一部について上方に延長し、その上端縁に上方開放状態に設けてもよいのである。【００２４】  本体７の前壁１には、横型または縦型のプラスチック製または金属製の手摺１４を適宜位置に固設し、滑落の防止，保守作業時の安全性および能率化に役立てるほか、転落事故時には流されないように掴まることができるようにし、更に、救助に当たり手掛けとし、あるいはロープの結び付けに使用することができるようにする。【００２５】  函体３はこれを図７のように、２段重ね状態に設置し、あるいは２段以上の複数段重ね状態に設置してもよい。また、図８のような大型の多段型のものを採択してもよく、この場合は都合により虚線で示すように、階段部の中段付近に上向きの開口を設けてこの開口に蓋体９を開閉自在に設け、内部のメンテナンス時に利用するようにしてもよい。
【図面の簡単な説明】
【００２６】
【図１】  本発明水質浄化型護岸装置の一実施形態を示す縦断側面図
【図２】  図１の装置の斜面図
【図３】  他の実施形態を示す縦断側面図
【図４】  図３の装置の斜面図
【図５】  他の実施形態を示す要部の縦断側面図
【図６】  他の実施形態を示す要部の縦断側面図
【図７】  段重ね状態の実施形態を示す側面図
【図８】  更に他の実施形態を示す側面図
【符号の説明】
【００２７】    １  前壁
２  通水孔
３  函体
４  濾材
５  背壁
６  側壁
７  本体
８  底盤
９  蓋体
１０  柵設置用穴
１１  濾材集合体
１２  通水孔
１３  格子状枠
１４  手摺
Ｗ  水位
【図１】
2008088785.tif 000003
【図２】
2008088785.tif 000004
【図３】
2008088785.tif 000005
【図４】
2008088785.tif 000006
【図５】
2008088785.tif 000007
【図６】
2008088785.tif 000008
【図７】
2008088785.tif 000009
【図８】
2008088785.tif 000010